(57)【要約】【課題】  加熱ユニットから発生する熱を飲食物に効果的に伝達し、熱反射ユニットを容易に掃除できるようにした調理装置を提供すること。【解決手段】  加熱ユニットはグリルユニットと熱反射ユニット間に配設され、熱反射ユニットは、各加熱ユニットから発生する熱がグリルユニット側に反射されるように所定角度に傾いた内外側反射板を有する。熱反射ユニットの内部空間には、内外側反射板を冷却させる冷却ファンが設けられ、熱反射ユニットの前後面板又は両側面板には多数の通孔が形成され、外部空気が熱反射ユニットの内部空間を通過する。冷却ファンは軸流ファン又は遠心ファンからなる。【選択図】  図４
2004237086.tif 000002
【特許請求の範囲】
【請求項１】
上部に開口部が設けられた本体と、
前記本体の両側に前記開口部に向かうように配設される１対の加熱ユニットと、
前記本体の上部に装着されるグリルユニットと、
前記加熱ユニットから伝達される熱を前記グリルユニット側に反射させるため、前記グリルユニットの下側に配設される熱反射ユニットと、
前記熱反射ユニットを冷却させるための冷却ファンとを含んでなることを特徴とする調理装置。
【請求項２】
前記熱反射ユニットは、前後面板及び両側面板と、前記加熱ユニットから発生する熱を前記グリルユニット側に反射させるため、前記前後面板と前記両側面板との間に配設される１対の内側反射板及び１対の外側反射板とを含むことを特徴とする請求項１に記載の調理装置。
【請求項３】
前記冷却ファンは、前記内側反射板及び前記外側反射板を強制的に冷却させるため、前記内側反射板の背面に付着されることを特徴とする請求項２に記載の調理装置。
【請求項４】
前記熱反射ユニットの前面板及び両側面板には、前記冷却ファンが配設された前記熱反射ユニットの内部に空気を吸入し、前記熱反射ユニットの内部から空気を排出させるため、通孔が形成されることを特徴とする請求項３に記載の調理装置。
【請求項５】
前記冷却ファンは軸流ファンであることを特徴とする請求項３に記載の調理装置。
【請求項６】
前記内側及び外側反射板を強制的に空冷させるため、前記冷却ファンの両端部は前記熱反射ユニットの前面板及び後面板に付着されることを特徴とする請求項２に記載の調理装置。
【請求項７】
前記熱反射ユニットの両側面板には、前記冷却ファンが配設された前記熱反射ユニットの内部に空気を吸入するとともに前記熱反射ユニットの内部から空気を排出させるため、通孔が形成されることを特徴とする請求項６に記載の調理装置。
【請求項８】
前記冷却ファンは遠心ファンであることを特徴とする請求項６に記載の調理装置。
【請求項９】
前記内側及び外側反射板を強制的に空冷させるため、前記冷却ファンの両端部は前記熱反射ユニットの両側面板に付着されることを特徴とする請求項２に記載の調理装置。
【請求項１０】
前記熱反射ユニットの前面板及び後面板には、前記冷却ファンが配設された前記熱反射ユニットの内部に空気を吸入するとともに前記熱反射ユニットの内部から空気を排出させるため、通孔が形成されることを特徴とする請求項９に記載の調理装置。
【請求項１１】
前記冷却ファンは遠心ファンであることを特徴とする請求項９に記載の調理装置。
【請求項１２】
前記内側反射板が所定温度を超えると、前記冷却ファンを自動的に作動させるため、前記内側反射板のいずれか一つの反射板の背面に挿着された温度センサをさらに含むことを特徴とする請求項２に記載の調理装置。
【請求項１３】
本体と、
加熱ユニットと、
前記加熱ユニットから発生する熱を反射するため、前記本体に着脱可能に装着される熱反射ユニットと、
前記熱反射ユニットを冷却させるための冷却ファンとを含んでなることを特徴とする調理装置。
【請求項１４】
前記熱反射ユニットは、フレームと、前記加熱ユニットから発生する熱を反射させるため、前記フレームに装着される反射板とを含むことを特徴とする請求項１３に記載の調理装置。
【請求項１５】
前記フレームと前記反射板との間に内部空間が形成され、前記冷却ファンは、前記反射板を冷却させるため、前記内部空間に装着されることを特徴とする請求項１４に記載の調理装置。
【請求項１６】
前記調理装置は、前記反射板の温度が所定温度を超えると、前記冷却ファンを作動させるサーモスタットをさらに含むことを特徴とする請求項１５に記載の調理装置。
【請求項１７】
前記所定温度は２００℃であることを特徴とする請求項１６に記載の調理装置。
【請求項１８】
前記フレームは、前記本体内の空気が前記冷却ファンと連通するようにする通孔を有することを特徴とする請求項１６に記載の調理装置。
【請求項１９】
前記本体は、前記本体外部の空気が前記冷却ファンと連通するようにする通孔を有することを特徴とする請求項１８に記載の調理装置。
【請求項２０】
前記サーモスタットが前記冷却ファンを作動させると、前記冷却ファンは前記本体外部の空気を前記本体及び前記フレームの通孔を介して前記内部空間に吸入して前記反射板を冷却させることを特徴とする請求項１９に記載の調理装置。
【請求項２１】
前記冷却ファンは軸流ファンであることを特徴とする請求項１９に記載の調理装置。
【請求項２２】
前記冷却ファンは遠心ファンであることを特徴とする請求項１９に記載の調理装置。
【請求項２３】
前記遠心ファンはシロッコファンであることを特徴とする請求項２２に記載の調理装置。
【請求項２４】
前記遠心ファンの回転軸は前記反射板の交差部に平行に位置し、前記フレームの通孔は前記空気が前記冷却ファンの回転軸を横切って流動するように位置することを特徴とする請求項２２に記載の調理装置。
【請求項２５】
前記遠心ファンは前記反射板の下側に位置することを特徴とする請求項２４に記載の調理装置。
【請求項２６】
前記遠心ファンの回転軸は前記反射板の交差部に垂直に位置し、前記フレームの通孔は前記空気が前記冷却ファンの回転軸を横切って流動するように位置することを特徴とする請求項２２に記載の調理装置。
【請求項２７】
前記遠心ファンは前記反射板の下側空間付近に位置することを特徴とする請求項２６に記載の調理装置。
【請求項２８】
本体及び加熱ユニットを有する調理装置の着脱式熱反射ユニットにおいて、
フレームと、
前記加熱ユニットから発生する熱を反射させるため、前記フレームに装着される反射板と、
前記反射板を冷却させるための冷却ファンとを含んでなることを特徴とする着脱式熱反射ユニット。
【請求項２９】
前記フレームと前記反射板との間には内部空間が形成され、前記冷却ファンは、前記反射板を冷却させるため、前記内部空間に装着されることを特徴とする請求項２８に記載の着脱式熱反射ユニット。
【請求項３０】
前記反射板は、
それぞれの上端が互いに連結された一対の内側反射板と、
それぞれの下端が一対の前記内側反射板の各々の下端に連結された外側反射板とを含むことを特徴とする請求項２９に記載の着脱式熱反射ユニット。
【請求項３１】
前記反射板は、調理中に飲食物から発生する液体を収集するため、前記内側反射板が対応外側反射板に連結される部位に形成された少なくとも一つの凹部を含むことを特徴とする請求項３０に記載の着脱式熱反射ユニット。
【請求項３２】
前記冷却ファンは前記熱反射ユニットを所定温度以下に維持して、前記収集された液体及び粒子状物質が焼け焦げないようすることを特徴とする請求項３０に記載の着脱式熱反射ユニット。
【請求項３３】
本体、調理面、及び加熱ユニットを有する調理装置の着脱式熱反射ユニットにおいて、
フレームと、
前記加熱ユニットから発生する熱を前記調理面側に反射させるとともに調理中に飲食物から発生する液体及び粒子状物質を収集するため、前記フレームに装着される反射板と、
前記反射板を冷却させるための冷却ファンとを含み、
前記フレームと前記反射板との間には内部空間が形成され、前記冷却ファンは前記内部空間に装着され、前記ファンは前記反射板を所定温度以下に維持して、前記収集された液体及び粒子状物質が焼け焦げないようすることを特徴とする着脱式熱反射ユニット。
【発明の詳細な説明】
【技術分野】
【０００１】
本発明は調理装置に係り、より詳しくは調理物に効果的に熱を伝達して熱効率を改善させるとともに、調理時間を短縮させる調理装置に関するものである。
【背景技術】
【０００２】
牛肉又は豚肉のような肉類、あるいはソーセージのような肉加工食品は、焼き網に載せ、その表面を直接加熱して調理するグリル調理方式が最もおいしいものとして知られている。したがって、このようなグリル調理方式で調理された肉類、ソーセージなどは好まれている。
【０００３】
一般に、グリル調理をするための調理装置は、飲食物を直接加熱する加熱ユニットと、飲食物が加熱ユニットに露出されるように載せられるグリルユニットとを備えて、加熱ユニットから発生する熱をグリルユニット上に載せられた飲食物に、直接、伝達することにより飲食物を調理するものである。
【０００４】
一方、牛肉、豚肉、羊肉のような肉類をグリル調理するためには、通常、適正な大きさに切った肉片の表面に、各種の薬味からなったソースを添加してグリルユニットに載せるが、ソースの添加された肉片が加熱ユニットから伝達される熱により加熱されるとき、肉片に塗られたソース、あるいは肉自体に含有された油分が下方に落ちる。
【０００５】
したがって、本体には、肉片から落ちた熱いソース又は油分を受けて収集する油分収集容器が設けられている。この油分収集容器は、グリルユニットの下側に配置され、調理食品から発生する油分又はソースを受け、加熱ユニットはグリルユニットと貯蔵容器間に配設されて飲食物に熱を伝達して飲食物を調理することになる。
【０００６】
しかし、前記のような構造を有する一般の調理装置は、グリルユニットの下方に配設された加熱ユニットから上方に伝達される熱のみにより飲食物を調理するため、加熱ユニットの熱を飲食物に効果的に伝達することができないから、熱効率が低下するだけでなく、調理時間が長くかかる欠点がある。
【０００７】
また、前記のような構造を有する一般の調理装置は、グリルユニットが加熱ユニットから受けた熱により高温になるため、グリルユニットに接触する飲食物部分は焼け焦げて飲食物の味が低下するだけでなく、健康にも非常に良くないものとなる欠点がある。
【発明の開示】
【発明が解決しようとする課題】
【０００８】
したがって、本発明は前述したような従来技術の問題点を解決するためになされたもので、その目的は加熱ユニットから発生した熱を調理物に効果的に伝達する調理装置を提供することである。
【０００９】
また、本発明のほかの目的は、加熱ユニットの熱を反射させる熱反射ユニットを周囲の空気で冷却させるようにした調理装置を提供することである。
【課題を解決するための手段】
【００１０】
前記のような目的を達成するため、本発明は、上部に開口部が設けられた本体と、前記本体の両側に前記開口部に向かうように配設される１対の加熱ユニットと、前記本体の上部に装着されるグリルユニットと、前記加熱ユニットから伝達される熱を前記グリルユニット側に反射させるため、前記グリルユニットの下側に配設される熱反射ユニットと、前記熱反射ユニットを冷却させるための冷却ファンとを含んでなる調理装置を提供する。
【００１１】
前記熱反射ユニットは、前後面板及び両側面板と、前記加熱ユニットから発生する熱を前記グリルユニット側に反射させるため、前記前後面板と前記両側面板との間に配設される１対の内側反射板及び１対の外側反射板とを含む。
【００１２】
前記冷却ファンは、前記内側反射板及び前記外側反射板を強制的に冷却させるため、前記内側反射板の背面に付着される。
【００１３】
前記熱反射ユニットの前面板及び両側面板には、前記冷却ファンが配設された前記熱反射ユニットの内部に空気を吸入するとともに前記熱反射ユニットの内部から空気を排出させるため、通孔が形成される。
【００１４】
前記冷却ファンは軸流ファンである。
【００１５】
前記内側及び外側反射板を強制的に空冷させるため、前記冷却ファンの両端部は前記熱反射ユニットの前面板及び後面板に付着される。
【００１６】
前記内側及び外側反射板を強制的に空冷させるため、前記冷却ファンの両端部は前記熱反射ユニットの両側面板に付着される。
【００１７】
前記冷却ファンは遠心ファンである。
【００１８】
前記調理装置は、前記内側反射板が所定温度を超えると、前記冷却ファンを自動的に作動させるため、前記内側反射板のいずれか一つの反射板の背面に挿着された温度センサをさらに含む。
【発明の効果】
【００１９】
以上のような本発明による調理装置は、加熱ユニットから発生する熱が、飲食物が載せられたグリルユニットに直接伝達されるとともに、熱反射ユニットによりグリルユニットに反射されるように構成されるので、熱効率が増大し、調理時間が短縮する効果がある。
【００２０】
また、本発明による調理装置は、加熱ユニットにより加熱される熱反射ユニットの内外側反射板が冷却板により冷却される構造を有するため、内外側反射板に落ちた油分、ソースなどが焼け焦げることがないので、調理後に熱反射ユニットを容易に掃除することができる効果があるものである。
【発明を実施するための最良の形態】
【００２１】
以下、添付図面に基づいて本発明の好ましい実施例を詳細に説明する。
【００２２】
図１ないし図４は本発明の第１実施例による調理装置を示すもので、図１及び図２は本発明の調理装置の調理装置の分解斜視図及び結合斜視図であり、図３は熱反射ユニットの作用を示すため、本体１０からグリルユニットを分離した状態を示す斜視図であり、図４は冷却ファンの作用を示すための図１の調理装置の縦断面図である。
【００２３】
同図に示すように、本発明による調理装置は、略箱状に形成された本体１０と、該本体１０の内部に設けられ、飲食物を加熱する複数の加熱ユニット１６と、本体１０の上部に装着され、上面に飲食物が載せられるグリルユニット２０と、本体１０の下端部に設けられ、加熱ユニット１６の輻射熱をグリルユニット２０に伝達するとともに、グリルユニット２０に載せられた飲食物から発生する油分を受けて収集する熱反射及び油分収集ユニット３０とを含んでなる。すなわち、熱反射及び油分収集ユニット３０は熱反射のための構造と油分を収集するための構造が合体されたものである。以下では、この熱反射及び油分収集ユニット３０を便宜上“熱反射ユニット３０”と呼称する。
【００２４】
本体１０の上面には、本体１０に内蔵された複数の加熱ユニット１６から発生する熱がグリルユニット２０に伝達できるようにする開口部１１が設けられ、前記開口部１１の両側には、グリルユニット２０が装着されるように、内側に少し凹んでいるシート部１２が形成される。本体１０の上部一側には、加熱ユニット１６の加熱時間と加熱温度を調節するためのタイムスイッチ１３とパワースイッチ１４が設けられる。また、本体１０の前面下端部には、熱反射ユニット３０が引き出し式で着脱できるようにする収容孔１５が設けられる。
【００２５】
加熱ユニット１６は一対からなり、本体１０の内部の両側面に、開口部１１に向かって斜めに配設される。各加熱ユニット１６は、ガスを燃焼させて熱を発生させるガスヒーター、炭を燃焼させて熱を発生させる炭火ヒーター、電気により熱を発生させる電熱線が封入されたセラミックヒーターから作って、高温の熱と多量の遠赤外線を放出させるようにする。
【００２６】
グリルユニット２０は、本体１０の上面に設けられた各シート部１２に装着されるように離隔して配置され、内部に水が満たされる一対の水タンク２１と、両端が前記水タンク２１に連結され、内部に水が満たされる多数のグリル管２４とを含む。
【００２７】
各水タンク２１の上面には、ヒンジ軸２３により回動して水タンク２１の開口部を開閉する蓋２２が設けられるので、前記蓋２２を開け、水タンク２１に水を満たした後、蓋を閉じると、グリル管２４の内部にも水が満たされる。したがって、各グリル管２４は、加熱ユニット１６から発生する熱を受けても、飲食物がグリル管２４と接触する部分が焼け焦げなくなる。その後、蓋２２を閉じる。
【００２８】
熱反射ユニット３０は、略方形に形成された底板３１と、前記底板３１の両側縁部から上向きに延長される両側面板３２と、前記底板３１の前後縁部から上方に延長される前後面板３３、３４とを含む外観を呈する。
【００２９】
前記底板３１上には、前記両側面板及び前後面板３２、３３、３４に連結されるように、各加熱ユニット１６から伝達される輻射熱を受けてグリル管２４に向かって反射させる一対の内側反射板３５と外側反射板３６が設けられる。この内外側反射板３５、３６は略Ｗ状になり、各内側反射板３５と外側反射板３６との間には、飲食物から落ちる油分、ソースなどを収集する凹部３７が形成される。
【００３０】
前記１対の内側反射板３５は、その上端が連結されたままで各加熱ユニット１６に臨むように配置され、前記１対の外側反射板３６は、その下端が各内側反射板３５の下端に連結され、その上端が各側面板３２の上端に連結されるので、内側反射板３５と外側反射板３６と底板３１との間には内部空間３８が形成される。
【００３１】
また、前面板３３は一定の幅を有し、前面板３３の前面には取っ手４０が取り付けられているので、この取っ手４０を握り、熱反射ユニット３０を本体１０の収容孔１５に押し込むか又は引き出すと、熱反射ユニット３０は本体１０の内部に摺動して装着されるか又は分離される。
【００３２】
熱反射ユニット３０の内部空間３８には、内外側反射板３５、３６を冷却して、飲食物から内外側反射板３５、３６上に落ちた油分、ソースなどが焼け焦げることを無くすため、冷却ファン５０とファンモータ５１が設けられる。
【００３３】
前記ファンモータ５１は内側反射板３５の背面に設けられた１対のブラケット５２にネジ５３により締結され、前記冷却ファン５０は前記ファンモータ５１に連結され、熱反射ユニット３０の底板３１から所定間隔だけ離隔して配設される。当業者であれば、前記冷却ファンに電気的に連結されたプラグ（図示せず）を前記熱反射ユニットの後面板３４に設け、前記プラグが挿入されるソケット（図示せず）を前記本体１０の後壁に設けることにより、前記冷却ファンに電源を供給する方式で、前記冷却ファン５０が装着された熱反射ユニット３０を本体１０に着脱可能に装着することができることが分かるであろう。
【００３４】
一実施例において、前記冷却ファン５０は軸流ファンからなり、この冷却ファン５０の作動により外部の空気が強制的に熱反射ユニット３０の内部空間３８を通過するようにするため、熱反射ユニット３０の両側面板３２と前面板３３にはそれぞれ通孔５４、５５が形成され、本体１０の両側面にも多数の通孔５６が形成される。
【００３５】
また、内側反射板３５には、熱反射ユニット３０の温度が所定温度を超えると、冷却ファン５０を自動的に作動させるための温度センサ５８が設けられている。したがって、熱反射ユニット３０の温度が２００℃に上昇すると、冷却ファン５０が作動し、通孔５４を介して外部空気が流入して内外側反射板３５、３６を経て通孔５５、５６を介して外部へ排出されることにより、熱反射ユニット３０が冷却される。
【００３６】
このように構成された本発明の第１実施例による調理装置において、水タンク２１に水が注入されてグリル管２４の内部に水が充填された状態で、グリル管２４上に牛肉、豚肉、ソーセージなどの飲食物を載せ、タイムスイッチ１３とパワースイッチ１４を操作して過熱ユニット１６を作動させると、加熱ユニット１６から発生する熱の一部はグリル管２４に伝達され、ほかの一部は熱反射ユニット３０の内外側反射板３５、３６により反射されてグリル管２４に反射されることにより、飲食物が迅速にグリル調理される。
【００３７】
この際、各グリル管２４の内部には水が充填されているため、グリル管２４が加熱ユニット１６から熱を受けても、飲食物がグリル管２４と接触する部分が焼け焦げることがない。
【００３８】
一方、調理過程において、飲食物から油分が発生して落ち、薬味の混合されたソースが添加された飲食物からは油分とソースが下方に落ちる。このように下方に落ちる油分、ソースは内外側反射板３５、３６に沿って流れて凹部３７に収集される。この際、熱反射ユニット３０の温度が所定温度を超えると、温度センサ５８がこれを感知して冷却ファン５０を作動させる。よって、通孔５４を介して外部空気が熱反射ユニット３０の内部空間３８に流入して内外側反射板３５、３６を冷却させた後、通孔５５、５６を介して外部へ排出されることにより、凹部３７に収集された油分、ソースだけでなく、内外側反射板３５、３６に付いた油分、ソースが焼け焦げることがないので、調理の終了後、熱反射ユニット３０を掃除する作業が大変容易になされる。
【００３９】
図５は本発明の第２実施例による、冷却ファンが設けられた熱反射ユニットの斜視図、図６は冷却ファンの作用を示すための図５の調理装置の縦断面図である。
【００４０】
同図に示すように、一実施例において、冷却ファン６０はシロッコファンのような遠心ファンからなり、熱反射ユニット３０の内部空間３８に縦方向に配設される。すなわち、冷却ファン６０の後端は熱反射ユニット３０の後面板３４に固定され、先端には、この冷却ファン６０を回転させるために前面板３３に固定されるファンモータ６１が連結される。熱反射ユニット３０の両側面板３１と本体１０の両側面には、それぞれ外部空気が熱反射ユニット３０の内部空間３８を通過するようにする多数の通孔５５、５６が形成される。
【００４１】
したがって、図６に示すように冷却ファン６０が作動すると、外部空気が右側通孔５５、５６を介して流入して内外側反射板３５、３６を冷却させた後、左側通孔５５、５６を介して排出されることにより、内外側反射板３５、３６が所定温度以上に上昇しなくなる。
【００４２】
このような冷却ファン６０を備えた調理装置の調理過程は第１実施例による冷却ファン５０を備えた調理装置の調理過程と同様であるので、これ以上の説明は省く。
【００４３】
図７は本発明の第３実施例による、冷却ファンを備えた熱反射部材の斜視図、図８は冷却ファンの作用を示すための図７の調理装置の縦断面図である。
【００４４】
同図に示すように、第３実施例による、冷却ファン６０を備えた調理装置は、冷却ファン及び通孔の配置構造を除き、第２実施例と同様である。
【００４５】
すなわち、第３実施例による冷却ファン６０はシロッコファンのような遠心ファンからなり、熱反射ユニット３０の内部空間３８の前部に横方向に配設される。冷却ファン６０の一端は熱反射ユニット３０の前面板３３の一端に固定され、他端には、この冷却ファン６０を回転させるために前面板３３の他端に固定されるファンモータ６１が連結される。熱反射ユニット３０の前面板３３と後面板３４には、それぞれ外部空気が熱反射ユニット３０の内部空間３８を通過するようにする多数の通孔５４、５７が形成される。さらに、本体１０の後面にも前記通孔５７に連通する通孔（図示せず）が形成されるので、熱反射ユニット３０の通孔５７を通過した空気が外部へ排出される。
【００４６】
したがって、冷却ファン６０が作動すると、外部空気が前面板３３に形成された通孔５４を介して内部空間３８に流入して内外側反射板３５、３６を冷却させた後、後面板３３に形成された５７を介して外部へ排出されることにより、内外側反射板３５、３６が所定温度以上に上昇しなくなる。
【００４７】
このような冷却ファン６０を備えた調理装置の調理過程も第１実施例による冷却ファン５０を備えた調理装置の調理過程と同様であるので、これ以上の説明は省く。
【図面の簡単な説明】
【００４８】
【図１】本発明の第１実施形態による調理装置の分解斜視図である。
【図２】図１の調理装置の結合斜視図である。
【図３】図１の熱反射ユニットの作用を示すため、本体からグリルユニットを分離した状態を示す斜視図である。
【図４】図１の冷却ファンの作用を示すための調理装置の縦断面図である。
【図５】本発明の第２実施形態による冷却ファンを備えた熱反射ユニットの斜視図である。
【図６】図５の冷却ファンの作用を示すための調理装置の縦断面図である。
【図７】本発明の第３実施形態による冷却ファンを備えた熱反射ユニットの斜視図である。
【図８】図７の冷却ファンの作用を示すための調理装置の縦断面図である。
【符号の説明】
【００４９】
１０    本体
１６    加熱ユニット
２０    グリルユニット
２４    グリル管
３０    熱反射ユニット
３５、３６    反射板
３７    凹部
５０、６０  冷却ファン
５４、５５、５６、５７  通孔
５８  温度センサ
【図１】
2004237086.tif 000003
【図２】
2004237086.tif 000004
【図３】
2004237086.tif 000005
【図４】
2004237086.tif 000006
【図５】
2004237086.tif 000007
【図６】
2004237086.tif 000008
【図７】
2004237086.tif 000009
【図８】
2004237086.tif 000010